(57)【特許請求の範囲】
【請求項１】
危険を伴なう作業を示す複数文字、または作業安全に関する複数文字から成る標語が、記録媒体としての所定寸法のシートに予め記録されており、
前記標語文字は、文字輪郭のみが示された太字書体であって、文字輪郭の内側に塗り絵式に各種色彩を施すことができ、前記標語文字の各々について、各字画同士が、前記文字輪郭を示す境界線で区別され、
全ての前記標語文字の文字輪郭内に、暦日を示す数字が暦日順に予め記録されており、その暦日を示す数字は、該当する標語文字の書き順に従って各字画内に配列され、その際、制限のある前記標語文字の画数と、記録すべき暦日数との差異に応じて、一字画内が、予め記録された区画境界線をもって、適宜複数の小区画に分割され、小区画の各々に前記暦日を示す数字が割り当てられ、
各作業日ごとに、予め定められた色の彩色を施すようになっている塗り絵式安全標語カレンダー。
【請求項２】
前記標語文字が月単位のシートに記録されている請求項１に記載された塗り絵式安全標語カレンダー。
【請求項３】
１年間を通じて同一標語が記録された１２枚のシートから成る、請求項２に記載された塗り絵式安全標語カレンダーの組み合わせ。
【請求項４】
複数の標語を月変わりで各月に割り当てた１２枚のシートから成る、請求項２に記載された塗り絵式安全標語カレンダーの組み合わせ。
【請求項５】
前記標語文字が、１２ケ月分すなわち１２標語の組み合わせとして、１枚のシートに記録されている請求項１に記載された塗り絵式安全標語カレンダー。
【発明の詳細な説明】
【０００１】
【発明の属する技術分野】
本発明は、何らかの危険が伴なう作業を行なう企業、団体、組織体等で、従業員、作業員あるいは職員に恒常的に安全意識を持たせるための手段としての塗り絵式安全標語カレンダーに関するものである。
【０００２】
【従来の技術】
例えば、運送業務を行なっている企業では、運転手、運転助手としての作業員の勤務状況あるいは事故発生の実態を記録するために、ノートまたは帳簿を用いるのが一般的である。しかしながら、ノートまたは帳簿による記帳方式では、全運転手、全作業員の勤務状況あるいは事故発生の実態を一瞥して確認できるものではなく、ノートまたは帳簿を開いて全貌を把握するには煩雑かつ不便であった。また、運送業務は、常に安全性を確保することが最重要課題であるところ、職場内あるいは車両内部に安全標語を掲げていても、それらが各自の意識に訴えない限り、事実上の標語効果はないと言えるだろう。
【０００３】
【発明が解決しようとする課題】
本発明は、かかる現状を改善して、何らかの危険が伴なう作業を行なう企業、団体、組織体等で、従業員、作業員あるいは職員の勤務状況および事故発生の実態を各人が一瞥して把握し、また、従業員等に恒常的に安全意識を持たせることを可能にするための手段を提供することを目的とする。
【０００４】
【課題を解決するための手段】
この目的は、以下の塗り絵式安全標語カレンダーを提供することによって達成される。
危険を伴なう作業を示す複数文字、または作業安全に関する複数文字から成る標語が、記録媒体としての所定寸法のシートに予め記録されており、標語文字は、文字輪郭のみが示された太字書体であって、文字輪郭の内側に塗り絵式に各種色彩を施すことができ、標語文字の各々について、各字画同士が、文字輪郭を示す境界線で区別され、全ての標語文字の文字輪郭内に、暦日を示す数字が暦日順に予め記録されており、その暦日を示す数字は、該当する標語文字の書き順に従って各字画内に配列され、その際、制限のある前記標語文字の画数と、記録すべき暦日数との差異に応じて、一字画内が、予め記録された区画境界線をもって、適宜複数の小区画に分割され、小区画の各々に前記暦日を示す数字が割り当てられ、
各作業日ごとに、予め定められた色の彩色を施すようになっている塗り絵式安全標語カレンダー。
【０００５】
この塗り絵式安全標語カレンダーは、以下の態様で提供可能である。
（１）標語文字が月単位のシート（本明細書でシートとは、所定サイズになされた紙、樹脂材、木板（薄板または比較的薄い板）、織布等、文字の記録および彩色記入の可能な材料を意味する）に記録されている前記塗り絵式安全標語カレンダー。
（２）１年間を通じて同一標語が記録されている１２枚のシートから成る、前記項目１に記載された塗り絵式安全標語カレンダーの組み合わせ。
（３）複数の標語を月変わりで各月に割り当てた１２枚のシートから成る、前記項目１に記載された塗り絵式安全標語カレンダーの組み合わせ。
（４）標語文字が、１２ケ月分すなわち１２標語の組み合わせとして、１枚のシートに記録されている前記塗り絵式安全標語カレンダー。
【０００６】
本発明の塗り絵式安全標語カレンダーは、これを、従業員、作業員あるいは職員別に、例えば掲示用の壁に掛けて、あるいは卓上式として使用する。従業員等は、職務終了時すなわち退出時に、自身の塗り絵式安全標語カレンダーに予め定められた色で、該当日に相当する暦日を示す「画」部分または画部分を再分割する小区画部分の彩色を行なう。この色は、例えば、出勤を示す色を「青」、休日を示す色を「黄」、事故発生の場合には「赤」として、好適には蛍光ペンを用いて彩色を行なう。彩色は、画部分または小区画部分を完全に塗りつぶして行なう。
【０００７】
このような彩色を行なっておけば、仮に事故を示す赤色が施された場合には、カレンダーを一瞥して誰に事故が生じたかを知ることができ、事故発生日の前の勤務状況（例えば、休暇の取得状態）を「色」で確認して、事故発生と、勤務状況（休暇の取得状況に関連する過労の有無）との関連性の有無を視覚的に直ちに把握することができる。また、事故を起こした従業員等以外の従業員は、カレンダーを見ることによって、同僚の事故発生を知ることができ、したがって、全職員に対する警告効果（安全作業、安全運転の励行に関する警告効果）を期待できる。
【０００８】
安全標語の例としては、「無事故」、「交通安全」、「安全運転」等を挙げることができる。また、それ自体が直接「安全」性を意味していない文字であっても、前記カレンダーの使用形態からして、「安全」性を強く意識させる文字例として、「運転手」、あるいは、運転助手等を意味する「作業員」を挙げることができ、本明細書では、これらも、安全標語の範疇に含めることとした。また、これら標語文字の意味内容から離れて見た場合でも、赤色を含む彩色を施した後では、その色彩を伴なう標語文字自体が安全性を強く訴えることになるだろう。
以下、図示された本発明の複数の具体例について説明する。
【０００９】
【実施の形態】
図１〜図４は、運送関係の会社における使用例を示しており、安全標語として、「交通安全」を用いている。この標語文字の字画の各々に暦日を表す数字を加入している。各月の暦日数としては、２８、２９、３０、３１があるが、同一標語文字でも、画部分を再分割する小区画部分を設定することによって、暦日数の変化を吸収できる。この画部分分割の調整形態は、図１（３０日用）、図２（３１日用）、図３（２８日用）、図４（２９日用）に示されている。例えば、図１、図２における文字「通」を比較すると、図１における１１日に相当する画部分が、図２では、２つの小区画部分に分けられて、１１日、１２日になっている。また、図３の文字「安」のウ冠部分は、図１、図２、図４と異なる。
【００１０】
図１〜図４には、標語文字の他に、該当年月を表す欄である「年  月」、職場（または事業所）の区別を行なうための欄である「  営業所」、カレンダーの該当職員である運転手あるいは運転助手の氏名を記入する欄である「乗務員・作業者名」が記載され、また、「出勤」、「休日」、「事故」を彩色によって区別するための、色指定表示（青、黄、赤）もなされている。
【００１１】
このカレンダーを実際に使用するに当たっては、先ず、月の初日が仕事日であると想定して、１日の仕事を終えた後（すなわち、退出時）に、「１」（日）の画部分に彩色を施す。事故がない場合には、「１」（日）の画部分に、蛍光ペンで青色の彩色を施し、事故発生の場合には、赤色で彩色を施す。また、仮に、「１」（日）が休日であった場合には、２日の日に「１」（日）の画部分に黄色の彩色を施すとともに、「２」（日）の画部分に青色または赤色の彩色を施す。このような彩色を行なうと、全職員（乗務員、作業者）について、一瞥して、安全作業が励行されているか否かを確認することができ、仮に運悪く事故が生じた場合には、赤色の存在によって、職場全体で安全作業（安全運転）の重要性を再確認することができる。また、各人が前記彩色を行なう際に、否応なく「交通安全」という安全標語を見ることになり、標語としての効果を日々最大限に発揮できる。
【００１２】
図１〜図４に示す４種類のカレンダーは、予め全職員の年間必要枚数のシートを印刷しておき、各人が適宜該当する月のシートを用いて、例えば、掲示板形式の壁に張り付けて使用することができる。また、各人毎に、１年間分の４種類のシートを組み合わせて綴じた年間カレンダーを作成しておき、これを壁に掛けて（または吊るして）使用してもよい。勿論、標語文字は、月変わりの任意の組み合わせで変えることができる。その場合の標語の種類としては、「交通安全」の他に、例えば、図５〜図２０に示す「運転手」、「作業員」、「無事故」等を使用するとよい。また、前記壁掛け式（または壁吊るし式）カレンダーを小型化して、同様な卓上式カレンダー（傾斜姿勢で使用する形式等）を用いてもよい。
【００１３】
図５〜図８は、図１〜図４に示した例と同様に、運送関係の会社で使用する例を示しており、安全標語として、暦日の配分の相違する「安全運転」を用いている。
【００１４】
図９〜図１２および図１３〜図１６は、図１〜図４および図５〜図８に示した例と同様に、運送関係の会社で使用する例を示しており、安全標語として、それぞれ暦日の配分の相違する「運転手」、「作業員」を用いている。
【００１５】
図１７〜図２０は、運送関係の会社に限らず、何らかの危険作業を行なう職場で好適に使用される例を示しており、安全標語として、暦日の配分の相違する「無事故」を用いている。
【００１６】
図５〜図２０に示すカレンダーの使い方は、図１〜図４に示したカレンダーの場合と同様である。
【００１７】
前記いずれの例も、同一または異なる標語を任意に１２個組み合わせて１枚のシートに記録（または印刷）し、１年用の塗り絵式安全標語カレンダーとして提供することができる。
【００１８】
【発明の効果】
本発明による塗り絵式安全標語カレンダーの作用、効果は以下のとおりである。
従業員、作業員あるいは職員別に、例えば掲示用の壁に掛けて、あるいは卓上式として使用する。従業員等は、職務終了時すなわち退出時に、自身の塗り絵式安全標語カレンダーに予め定められた色で、該当日に相当する暦日を示す「画」部分または画部分を再分割する小区画部分の彩色を行なう。この色は、例えば、出勤を示す色を「青」、休日を示す色を「黄」、事故発生の場合には「赤」として、好適には蛍光ペンを用いて彩色を行なう。彩色は、画部分または小区画部分を完全に塗りつぶして行なう。このような彩色を行なっておけば、仮に事故を示す赤色が施された場合には、カレンダーを一瞥して誰に事故が生じたかを知ることができ、事故発生日の前の勤務状況（例えば、休暇の取得状態）を「色」で確認して、事故発生と、勤務状況（休暇の取得状況に関連する過労の有無）との関連性の有無を視覚的に直ちに把握することができる。また、事故を起こした従業員等以外の従業員は、カレンダーを見ることによって、同僚の事故発生を知ることができ、したがって、全職員に対する警告効果（安全作業、安全運転の励行に関する警告効果）を期待できる。
【図面の簡単な説明】
【図１】暦日数３０日用の標語文字である「交通安全」を記録した月間用の塗り絵式安全標語カレンダーの例。
【図２】暦日数３１日用の標語文字である「交通安全」を記録した月間用の塗り絵式安全標語カレンダーの例。
【図３】暦日数２８日用の標語文字である「交通安全」を記録した月間用の塗り絵式安全標語カレンダーの例。
【図４】暦日数２９日用の標語文字である「交通安全」を記録した月間用の塗り絵式安全標語カレンダーの例。
【図５】暦日数３０日用の標語文字である「安全運転」を記録した月間用の塗り絵式安全標語カレンダーの例。
【図６】暦日数３１日用の標語文字である「安全運転」を記録した月間用の塗り絵式安全標語カレンダーの例。
【図７】暦日数２８日用の標語文字である「安全運転」を記録した月間用の塗り絵式安全標語カレンダーの例。
【図８】暦日数２９日用の標語文字である「安全運転」を記録した月間用の塗り絵式安全標語カレンダーの例。
【図９】暦日数３０日用の標語文字である「運転手」を記録した月間用の塗り絵式安全標語カレンダーの例。
【図１０】暦日数３１日用の標語文字である「運転手」を記録した月間用の塗り絵式安全標語カレンダーの例。
【図１１】暦日数２８日用の標語文字である「運転手」を記録した月間用の塗り絵式安全標語カレンダーの例。
【図１２】暦日数２９日用の標語文字である「運転手」を記録した月間用の塗り絵式安全標語カレンダーの例。
【図１３】暦日数３０日用の標語文字である「作業員」を記録した月間用の塗り絵式安全標語カレンダーの例。
【図１４】暦日数３１日用の標語文字である「作業員」を記録した月間用の塗り絵式安全標語カレンダーの例。
【図１５】暦日数２８日用の標語文字である「作業員」を記録した月間用の塗り絵式安全標語カレンダーの例。
【図１６】暦日数２９日用の標語文字である「作業員」を記録した月間用の塗り絵式安全標語カレンダーの例。
【図１７】暦日数３０日用の標語文字である「無事故」を記録した月間用の塗り絵式安全標語カレンダーの例。
【図１８】暦日数３１日用の標語文字である「無事故」を記録した月間用の塗り絵式安全標語カレンダーの例。
【図１９】暦日数２８日用の標語文字である「無事故」を記録した月間用の塗り絵式安全標語カレンダーの例。
【図２０】暦日数２９日用の標語文字である「無事故」を記録した月間用の塗り絵式安全標語カレンダーの例。
【図１】
0003711056.tif 000002
【図２】
0003711056.tif 000003
【図３】
0003711056.tif 000004
【図４】
0003711056.tif 000005
【図５】
0003711056.tif 000006
【図６】
0003711056.tif 000007
【図７】
0003711056.tif 000008
【図８】
0003711056.tif 000009
【図９】
0003711056.tif 000010
【図１０】
0003711056.tif 000011
【図１１】
0003711056.tif 000012
【図１２】
0003711056.tif 000013
【図１３】
0003711056.tif 000014
【図１４】
0003711056.tif 000015
【図１５】
0003711056.tif 000016
【図１６】
0003711056.tif 000017
【図１７】
0003711056.tif 000018
【図１８】
0003711056.tif 000019
【図１９】
0003711056.tif 000020
【図２０】
0003711056.tif 000021